(57)【要約】【課題】複数の移動構築物を接離させることにより、倉庫あるいは作業場として活用できるようにした継ぎ足し構築物を得る。【解決手段】前後面が開口するとともに左右のサイドフレーム（５）の下部に走行輪（７）を有する門形の移動構築物（３）を複数設け、各移動構築物（３）を前後に配列してそれぞれの走行輪（７）を地面に設置した前後方向のレール（２）に転動可能に設け、後部側に位置する移動構築物（３）の後面を閉塞する可動壁（２５）を前後動可能に設ける。また、接近した移動構築物（３）を互いに連結する連結具（１２）を設け、各移動構築物（３）の天井フレーム（８）にウインチ（１０）を設ける。【選択図】図１
2008285859.tif 000002
【特許請求の範囲】
【請求項１】
前後面が開口するとともに左右のサイドフレーム（５）の下部に走行輪（７）を有する門形の移動構築物（３）を複数設け、各移動構築物（３）を前後に配列してそれぞれの走行輪（７）を地面に設置した前後方向のレール（２）に転動可能に設け後部側に位置する移動構築物（３）の後面を閉塞する可動壁（２５）を前後動可能に設けたことを特徴とする継ぎ足し構築物。
【請求項２】
レール（２）はラックとし、走行輪（７）は前記ラックに噛み合うピニオンとしたことを特徴とする請求項１記載の継ぎ足し構築物。
【請求項３】
可動壁（２５）に出入口（２６）を設けたことを特徴とする請求項１又は２記載の継ぎ足し構築物。
【請求項４】
前部側に位置する移動構築物（３）の前面を閉塞する固定壁（３５）を設けるとともに、該固定壁（３５）に出入口（３６）を設けたことを特徴とする請求項１，２又は３記載の継ぎ足し構築物。
【請求項５】
接近した移動構築物（３）を互いに連結する連結具（１２）を設けたことを特徴とする請求項１〜４いずれか１項に記載の継ぎ足し構築物。
【請求項６】
移動構築物（３）をレール（２）の所定位置で該レール（２）に固定するロック装置（２３）を設けたことを特徴とする請求項１〜５いずれか１項に記載の継ぎ足し構築物。
【請求項７】
移動構築物（３）の天井フレーム（８）にウインチ（１０）を設けたことを特徴とする請求項１〜６いずれか１項に記載の継ぎ足し構築物。
【発明の詳細な説明】
【技術分野】
【０００１】
本発明は、複数の門形の移動構築物を接離可能にして室内空間を可変にすることにより、多種の用途に対応できる継ぎ足し構築物に関するものである。
【背景技術】
【０００２】
従来の技術として、対向する妻側枠間に多数の可動枠を配置し、妻側枠とこれに隣接する可動枠及び各可動枠に、それぞれ谷折り用と山折り用にヒンジ連結した平側パネル及び屋根パネルをヒンジ連結して折畳み構築物を構成し、前記妻側枠及び可動枠を基準にして平側パネル及び屋根パネルを折り畳むことによって奥行きの深い構築物の長さを短縮するようにしたものがあった。
【０００３】
前記折畳み構築物は、接地スペースに合わせて奥行きの量を調節することができる。しかしながら、対向する妻側枠間に設けた平側パネル及び屋根パネルが連続しているため、人の出入り及び物の出し入れが妻側枠（前後）のみとなり、構築物の活用形態が限られるものであった。
【０００４】
【特許文献１】特開２００１−９０１９７号公報
【発明の開示】
【発明が解決しようとする課題】
【０００５】
本発明は、複数の移動構築物を接離させることにより、倉庫あるいは作業場として活用できるようにした新規な継ぎ足し構築物を得ることを目的とする。
【課題を解決するための手段】
【０００６】
本発明は、前記目的を達成するために以下の如く構成したものである。即ち、請求項１に係る発明は、前後面が開口するとともに左右のサイドフレームの下部に走行輪を有する門形の移動構築物を複数設け、各移動構築物を前後に配列してそれぞれの走行輪を地面に設置した前後方向のレールに転動可能に設け、後部側に位置する移動構築物の後面を閉塞する可動壁を前後動可能に設ける構成にしたものである。
請求項２係る発明は、前記レールをラックとし、走行輪を前記ラックに噛み合うピニオンとしたものである。
請求項３に係る発明は、前記可動壁に出入口を設けるようにしたものである。
請求項４に係る発明は、前部側に位置する移動構築物の前面を閉塞する固定壁を設けるとともに、該固定壁に出入口を設けるようにしたものである。
請求項５に係る発明は、接近した移動構築物を互いに連結する連結具を設けるようにしたものである。
請求項６に係る発明は、移動構築物をレールの所定位置で該レールに固定するロック装置を設けるようにしたものである。
請求項７に係る発明は、移動構築物の天井フレームにウインチを設けるようにしたものである。
【発明の効果】
【０００７】
請求項１に係る発明は、各移動構築物を前後に切り離し、これら切り離した移動構築物内で、それぞれ切断作業、溶接作業、組立作業等を個別に行なうようにすると、作業時に発生する音、光、振動等が構築物内で干渉しなくなる。また、各作業員は切り離された移動構築物間から他の作業者に迷惑を掛けることなく出入りすることができる。この結果、作業能率が高くなる。
また、各移動構築物及び可動壁を接近させると、各移動構築物によって外部から隔離された大きな空間（作業場）が形成され、製品を風雨から保護することができるとともに、雨天時の作業が円滑に行なえることになる。
請求項２に係る発明は、レールをラックとし、走行輪をラックに噛み合うピニオンとしたので、各移動構築物を正確に前後動させることができる。
請求項３に係る発明は、各移動構築物及び可動壁を接近させて大きな空間（作業場）を形成した際に、可動壁の出入口から人の出入り及び物の出し入れが行なえることになる。  請求項４に係る発明は、各移動構築物及び可動壁によって大きな空間（作業場）を形成した際に、固定壁が前部側に位置する移動構築物の前面を閉塞して前記空間の隔離機能が高くなるとともに、固定壁の出入口から人の出入り及び物の出し入れが行なえることになる。
請求項５に係る発明は、接近した移動構築物が連結具によって互いに連結され、安全性が高くなるとともに、各連結部からの雨水の浸入を防止することができる。
請求項６に係る発明は、ロック装置を作動させることによって各移動構築物を所定位置でレールに固定できるので、風等の外力によって各移動構築物が不用意に前後動しなくなり、安全性が高くなる。
請求項７に係る発明は、移動構築物内で重量物をウインチによって移動させることができるので、作業者の労力が軽減することになる。
【発明を実施するための最良の形態】
【０００８】
以下本発明の実施例を図面に基いて説明する。図１〜図６は本発明の実施例を示し、図１は各移動構築物を切り離した状態の斜視図、図２は各移動構築物を連結した状態の斜視図、図３は単体移動構築物のフレーム構造を示す斜視図、図４は図３の背面図、図５は連結具の側面図、図６は排水路の断面図、図７はレール及び走行輪の第２例を示す要部側面図、図８はレールの第３例を示す要部側面図、図９は図８のIX-IX断面図である。
【０００９】
図１において、２は地面１に設置したレールであり、左右一対の外レール２ａ、該外レール２ａの内側に４本の内レール２ｂをそれぞれ前後方向に延出させてなる。前記外レール２ａの左右幅は約１８ｍ、前後の長さは約４５ｍとなっている。前記外レール２ａに３基の移動構築物３、即ち、前部移動構築物３−１，中部移動構築物３−２，後部移動構築物３−３をそれぞれ前後動可能に載置し、前記内レール２ｂに１個の可動壁２５を前後動可能に載置する。
【００１０】
各移動構築物３（３−１，３−２，３−３）は共に略同構造となっており、そのうち、前部移動構築物３−１を代表して説明する。前部移動構築物３−１は前後面が開口した門形に形成され、前後の長さが約１０ｍ、左右の幅が約１８ｍとなっており、鉄製の構築フレーム４（図３）の左右面及び上面を、プラスチック製の板あるいはシートからなる側面壁材２０及び屋根壁材２１により覆って前後面を開口させる。
【００１１】
前記構築フレーム４は、角パイプ、形綱等の鋼材により、図３に示すように、面状に枠組みした左右のサイドフレーム５と屋根形に枠組みした上部フレーム６とを一体的に連結して門形に形成してなり、前記サイドフレーム５の下部に、外レール２ａ上を転動する走行輪７を取り付け、該走行輪７をモータ（図示省略）によって正逆回転させることによつて前記構築フレーム４を前後方向に移動させる。
【００１２】
前記外レール２ａ及び走行輪７は図７に示すようにしてもよい。即ち、外レール２ａは上面に歯３１ａを有するラック３１とし、走行輪７は前記ラック３１に噛み合う歯３２ａを有するピニオン３２とし、該ピニオン３２をサーボモータＭ１で駆動制御するようにしてもよい。このようにすれば、各移動構築物３の前後位置を正確に制御することができる。また、前記ラック３１は図８、図９に示すように、前後方向に延出配置した鋼製のパイプ主体３３ａの上面部を長手方向に所定ピッチで切り欠き、各切り欠き間に歯３３ｂを有するラック３３としてもよい。なお、前記ラック３３は、パイプ主体３３ａの下部にベース板３３ｃを溶接固定し、該ベース板３３ｃを介してコンクリート製の基礎３４に固定する。３４ａはベース板３３ｃを基礎３４に固定するアンカーボルトである。
【００１３】
前述した側面壁材２０及び屋根壁材２１は、図１、図２に示すように、前記サイドフレーム５の外側面、及び前記上部フレーム６の上面に取り付けられる。前記上部フレーム６に、図４に示すように、左右方向に延びる一対の天井フレーム８を取付け、該天井フレーム８に横走台９を左右移動可能に載置するとともに、該横走台９にウインチ１０を取り付ける。１０ａはウインチ１０のワイヤ端部に取り付けたフックである。
【００１４】
前記構築フレーム４の前後方向の端面フレーム４ａ−１に、隣接する中部移動構築物３−２を連結する連結具１２を取り付ける。該連結具１２は、図４、図５に示すように、共に同構造のものを上部に２個、左右に１個取り付ける。該連結具１２は、構築フレーム４の移動（前後）方向と直交する回転軸１３に連結アーム１４の端部を固定し、回転軸１３をモータ（ギヤードモータ）１５により正逆回転させ、前記連結アーム１４を約４５度の角度で前後に回動させる。図５において、ＳＷ１は連結アーム１４の連結回動位置を決定する第１リミットスイッチ、ＳＷ２は連結アーム１４の開放回動位置を決定する第２リミットスイッチである。一方、隣接する中部移動構築物３−２の端面フレーム４ａ−２に
ブラケット１６を前方に向けて突出固定し、該ブラケット１６の先端部に係合ピン１７を取り付ける。
【００１５】
そして、前部移動構築物３−１に対して中部移動構築物３−２が後方に位置する際には、図５の仮想線で示すように、連結アーム１４をモータによって後方に回動させておき、中部移動構築物３−２が前部移動構築物３−１に接近した際には、図５の実線で示すように、前記連結アーム１４をモータによって前方に回動させ、係合ピン１７を介して中部移動構築物３−２を前部移動構築物３−１に引き寄せて両者の端面フレーム４ａ−１、４ａ−２同士を水密に当接させる。図５において、１８は両者の端面フレーム間に設けたシールであり、本例では中部移動構築物３−２の端面フレーム４ａ−２に固着されている。なお、前記連結具１２、係合ピン１７は、中部移動構築物３−２、後部移動構築物３−３にも同様にして取り付けられ、両者を連結・解除するようにしている。
【００１６】
前述した各移動構築物３（３−１，３−２，３−３）は、前後方向の所定位置に移動された際に、ロック装置によって外レール２ａに固定されるようになっている。即ち、図６に示すように、外レール２ａの上下中間部の括れ部に左右方向に貫通する係止孔２４を長手（前後）方向に所定ピッチで形成し、各移動構築物３のサイドフレーム５の下端部にプレート２２を下方に向けて突出固定して外レール２ａの内側に対面させ、該プレート２２に内側からロックピン（ロック装置）２３を前記外レール２ａの係止孔２４に向けて嵌合・離脱可能に螺合させる。これにより、各移動構築物３が前後方向の所定位置に移動した際に、前記ロックピン２３を外レール２ａの該当する係止孔２４に嵌合させ、各移動構築物３を外レール２ａにロック（固定）し、風等による負荷で各移動構築物３が不用意に前後動するのを阻止する。
【００１７】
前述した可動壁２５は、後部移動構築物３−３の後面を閉塞するものであり、角パイプ、形綱等の鋼材により、図１に示すように、左右方向面状に枠組みした後壁フレーム２５ａと、該後壁フレーム２５ａを起立保持する前後に小幅な枠状のリブフレーム２５ｂとを一体的に連結し、後壁フレーム２５ａの左右中間部に裏出入口２６を形成する。また、リブフレーム２５ｂの下部の左右４カ所にモータ付きの走行輪（図示省略）を取り付け、該走行輪を、前述した内レール２ｂに載置し、該走行輪をモータによって正逆回転させて前記可動壁２５を前後方向に移動させる。
【００１８】
前記後壁フレーム２５ａ及びリブフレーム２５ｂにプラスチック製の板あるいはシートからなる後壁材２７を取り付ける。図１において、２６ａは前記裏出入口２６を開閉するシャッターである。
【００１９】
前述した前部移動構築物３−１の前方に、該前部移動構築物３−１の前面を閉塞する固定壁３５を地面１に起立固定する。該固定壁３５は、角パイプ、形綱等の鋼材により、図１に示すように、左右方向面状に枠組みした前壁フレーム３５ａと、該前壁フレーム３５ａを起立保持する前後に小幅な枠状のリブフレーム３５ｂとを一体的に連結し、前壁フレーム３５ａの左右中間部に中央出入口３６、及び左側部に側部出入口３７を形成する。前記前壁フレーム３５ａ及びリブフレーム３５ｂにプラスチック製の板あるいはシートからなる前壁材３８を取り付ける。図１において、３６ａ、３７ａは前記出入口３６、３７を開閉するシャッターである。
【００２０】
図６において、４０は排水路である。該排水路４０は、外レール２ａに沿ってその両側を凹ませた仕切り排水路４１、該仕切り排水路４１に沿ってその内側を凹ませた内排水路４２、及び仕切り排水路４１の外側に形成した外排水路４３からなり、前記内排水路４２は地面下に形成した連通路４４により外排水路４３に連通させ、仕切り排水路４１は底部に形成した流下孔４５により前記連通路４４に連通させる。
【００２１】
これにより、移動構築物３に沿って流下した雨水は仕切り排水路４１に案内され、流下孔４５、連通路４４を介して外排水路４３に排出され、また、内排水路４２に流入した生活用水、雨水等は連通路４４を介して外排水路４３に排出されることになる。
【図面の簡単な説明】
【００２２】
【図１】各移動構築物を切り離した状態の斜視図である。
【図２】各移動構築物を連結した状態の斜視図である。
【図３】単体移動構築物のフレーム構造を示す斜視図である。
【図４】図３の背面図である。
【図５】連結具の側面図である。
【図６】排水路の断面図である。
【図７】レール及び走行輪の第２例を示す要部側面図である。
【図８】レールの第３例を示す要部側面図である。
【図９】図８のIX-IX断面図である。
【符号の説明】
【００２３】
１    地面（作業場）
２    レール
２ａ  外レール
２ｂ  内レール
３（３−１，３−２，３−３）    移動構築物
４    構築フレーム
４ａ−１ａ，４ａ−２    端面フレーム
５    サイドフレーム
６    上部フレーム
７    走行輪
８    天井フレーム
９    横送台
１０    ウインチ
１０ａ  フック
１２    連結具
１３    回転軸
１４    連結アーム
１５    モータ
１６    ブラケット
１７    係合ピン
１８    シール
２０    側面壁材
２１    屋根壁材
２２    プレート
２３    ロックピン（ロック装置）
２４    係止孔
２５    可動壁
２５ａ  後壁フレーム  
２５ｂ  リブフレーム
２６    裏出入口
２６ａ  シャッター
２７    後壁材
３１    ラック（外レール）
３１ａ  歯
３２    ピニオン
３２ａ  歯
３３    ラック（外レール）
３３ａ  パイプ主体
３３ｂ  歯
３３ｃ  ベース板
３４    基礎
３４ａ  アンカーボルト
３５    固定壁
３５ａ  前壁フレーム
３５ｂ  リブフレーム
３６    中央出入口
３６ａ  シャッター
３７    側部出入口
３８    前壁材
４０    排水路
４１    仕切り排水路
４２    内排水路
４３    外排水路
４４    連通路
４５    流下孔
【図１】
2008285859.tif 000003
【図２】
2008285859.tif 000004
【図３】
2008285859.tif 000005
【図４】
2008285859.tif 000006
【図５】
2008285859.tif 000007
【図６】
2008285859.tif 000008
【図７】
2008285859.tif 000009
【図８】
2008285859.tif 000010
【図９】
2008285859.tif 000011